(57)【要約】【課題】自分で牽引力を調整しながら頭部（首部）を極めて有効に牽引することができる簡易構造の頭部牽引装置を提供すること。【解決手段】使用者Ｍが頭部Ｈを配設可能で且つこの配設した頭部Ｈに装着可能な牽引具１を備えた頭部配設部２を有する装置本体３の基端部の左右部に、前記頭部配設部２に頭部Ｈを配設した使用者Ｍが両肩部Ｓを当接する肩当て部４を設け、この装置本体３に、前記頭部配設部２に頭部Ｈを配設した使用者Ｍが操作可能な牽引操作部５を設けると共に、この牽引操作部５に前記牽引具１を連結状態に設ける。【選択図】図２
2008253562.tif 000002
【特許請求の範囲】
【請求項１】
使用者が頭部を配設可能で且つこの配設した頭部に装着可能な牽引具を備えた頭部配設部を有する装置本体の基端部の左右部に、前記頭部配設部に頭部を配設した使用者が両肩部を当接する肩当て部を設け、この装置本体に、前記頭部配設部に頭部を配設した使用者が操作可能な牽引操作部を設けると共に、この牽引操作部に前記牽引具を連結状態に設けて、この牽引具に前記頭部配設部に配設した使用者の頭部を装着して、使用者が前記肩当て部に両肩部を当接させた状態で前記牽引操作部を操作すると、使用者の頭部が前記装置本体の先端側方向へ牽引されるように構成したことを特徴とする頭部牽引装置。
【請求項２】
前記牽引操作部を前記装置本体に回動自在に設け、この牽引操作部を回動操作することで前記牽引具に装着した使用者の頭部が装置本体の先端側方向に牽引される構成としたことを特徴とする請求項１記載の頭部牽引装置。
【請求項３】
前記牽引操作部は、一端側に使用者が握持操作し得る握持部を有し他端側に前記牽引具を連結する連結部を設けた構成として、この牽引操作部の、前記握持部と前記連結部との間の途中位置を前記装置本体に枢着することで牽引操作部を装置本体に回動自在に設けて、この握持部を握持して前記枢着部を支点に牽引操作部を回動操作することで前記牽引具に装着した使用者の頭部が前記装置本体の先端側方向に牽引される構成としたことを特徴とする請求項１，２のいずれか１項に記載の頭部牽引装置。
【請求項４】
前記牽引操作部の、前記枢着部から前記握持部までの距離を、この枢着部から前記連結部までの距離より長い距離寸法に設定構成したことを特徴とする請求項３記載の頭部牽引装置。
【請求項５】
前記装置本体は、枠形体に構成して枠内の空間部を前記頭部配設部とすると共に、基端部の左右に前記肩当て部として機能する枠部を有する枠形状に構成したことを特徴とする請求項１〜４のいずれか１項に記載の頭部牽引装置。
【請求項６】
使用者が仰向けの姿勢で頭部を配設可能な前記頭部配設部を前記装置本体に設け、この頭部配設部に仰向けの姿勢で頭部を配設した使用者が、仰向けの姿勢のままで操作可能な前記牽引操作部を前記装置本体に設けたことを特徴とする請求項１〜５のいずれか１項に記載の頭部牽引装置。
【請求項７】
前記装置本体は、折り畳み機構を有する構成としたことを特徴とする請求項１〜６のいずれか１項に記載の頭部牽引装置。
【発明の詳細な説明】
【技術分野】
【０００１】
本発明は、頭部（首部）を牽引することで脊柱の歪みを矯正する頭部牽引装置に関するものである。
【背景技術】
【０００２】
従来のこの種の頭部を牽引して脊柱の歪みを矯正する装置としては、例えば、実公昭５７−２９７９５号（特許文献１）のような大掛かりな構成の装置や、特開２００４−４９８２４号（特許文献２）のような簡易的な構成の装置など色々なものが提案されている。
【０００３】
【特許文献１】実公昭５７−２９７９５号公報
【特許文献２】特開２００４−４９８２４号公報
【発明の開示】
【発明が解決しようとする課題】
【０００４】
本発明は、特に前記特許文献２のような簡易タイプの頭部牽引装置の改良に係るもので、自分で牽引力を調整しながら頭部（首部）を効果的に牽引することができる簡易構造の頭部牽引装置を提供するものである。
【課題を解決するための手段】
【０００５】
添付図面を参照して本発明の要旨を説明する。
【０００６】
使用者Ｍが頭部Ｈを配設可能で且つこの配設した頭部Ｈに装着可能な牽引具１を備えた頭部配設部２を有する装置本体３の基端部の左右部に、前記頭部配設部２に頭部Ｈを配設した使用者Ｍが両肩部Ｓを当接する肩当て部４を設け、この装置本体３に、前記頭部配設部２に頭部Ｈを配設した使用者Ｍが操作可能な牽引操作部５を設けると共に、この牽引操作部５に前記牽引具１を連結状態に設けて、この牽引具１に前記頭部配設部２に配設した使用者Ｍの頭部Ｈを装着して、使用者Ｍが前記肩当て部４に両肩部Ｓを当接させた状態で前記牽引操作部５を操作すると、使用者Ｍの頭部Ｈが前記装置本体３の先端側方向へ牽引されるように構成したことを特徴とする頭部牽引装置に係るものである。
【０００７】
また、前記牽引操作部５を前記装置本体３に回動自在に設け、この牽引操作部５を回動操作することで前記牽引具１に装着した使用者Ｍの頭部Ｈが装置本体３の先端側方向に牽引される構成としたことを特徴とする請求項１記載の頭部牽引装置に係るものである。
【０００８】
また、前記牽引操作部５は、一端側に使用者Ｍが握持操作し得る握持部６を有し他端側に前記牽引具１を連結する連結部７を設けた構成として、この牽引操作部５の、前記握持部６と前記連結部７との間の途中位置を前記装置本体３に枢着することで牽引操作部５を装置本体３に回動自在に設けて、この握持部６を握持して前記枢着部８を支点に牽引操作部５を回動操作することで前記牽引具１に装着した使用者Ｍの頭部Ｈが前記装置本体３の先端側方向に牽引される構成としたことを特徴とする請求項１，２のいずれか１項に記載の頭部牽引装置に係るものである。
【０００９】
また、前記牽引操作部５の、前記枢着部８から前記握持部６までの距離を、この枢着部８から前記連結部７までの距離より長い距離寸法に設定構成したことを特徴とする請求項３記載の頭部牽引装置に係るものである。
【００１０】
また、前記装置本体３は、枠形体に構成して枠内の空間部を前記頭部配設部２とすると共に、基端部の左右に前記肩当て部４として機能する枠部を有する枠形状に構成したことを特徴とする請求項１〜４のいずれか１項に記載の頭部牽引装置に係るものである。
【００１１】
また、使用者Ｍが仰向けの姿勢で頭部Ｈを配設可能な前記頭部配設部２を前記装置本体３に設け、この頭部配設部２に仰向けの姿勢で頭部Ｈを配設した使用者Ｍが、仰向けの姿勢のままで操作可能な前記牽引操作部５を前記装置本体３に設けたことを特徴とする請求項１〜５のいずれか１項に記載の頭部牽引装置に係るものである。
【００１２】
また、前記装置本体３は、折り畳み機構９を有する構成としたことを特徴とする請求項１〜６のいずれか１項に記載の頭部牽引装置に係るものである。
【発明の効果】
【００１３】
本発明は上述のように構成したから、使用者の両肩部を肩当て部に当接しながら頭部を牽引するため肩部から上の首部が非常に効果的に引っ張られることになり、この首部の牽引により脊柱も伸ばされて真っ直ぐ（歪みのない状態）に矯正されることになり、また、片方の肩部だけを位置決めするのではなく、両方の肩部を肩当て部に当てて両肩部を位置決めした状態で牽引するため、脊柱を真っ直ぐに牽引できると共に、身体を動かさないようにして牽引するので、牽引操作部を少し操作するだけでも効果的に頭部を牽引して首部（脊柱）を伸ばすことができるし、頭部の牽引力の強さを自身で好みに調整することができるので、他人や機械にされるような不安感がなく、安心して使用することができ、しかも、肩部を当接することで身体を動かないようにする装置構成のため、下半身を固定するような大掛かりな構成は不要で、頭部を配設可能で且つ両肩部を当接可能な程度の大きさのコンパクトな装置構成にできるし、頭部を配設可能な頭部配設部を有する装置本体に、肩当て部と牽引具を連結した牽引操作部を設けるだけで本発明は構成可能であるので、簡易構成で容易に設計実現可能であるなど、極めて実用性に秀れた画期的な頭部牽引装置となる。
【００１４】
また、請求項２記載の発明においては、牽引操作部を牽引操作し易い一層実用性に秀れた構成の頭部牽引装置となる。
【００１５】
また、請求項３記載の発明においては、握持部を力点，枢着部を支点，連結部（牽引具）を作用点とするテコ作用により、極めて効果的に頭部（首部）を牽引して脊柱の矯正を行うことができる一層実用性に秀れた構成の頭部牽引装置となる。
【００１６】
また、請求項４記載の発明においては、前記テコ作用が一層効果的に発揮されて小さな操作力を確実に大きな牽引力にできる一層実用性に秀れた構成の頭部牽引装置となる。
【００１７】
また、請求項５記載の発明においては、頭部を配設可能で且つ基端部の左右に肩当て部を備えた装置本体を簡易に設計実現可能となる一層実用性に秀れた構成の頭部牽引装置となる。
【００１８】
また、請求項６記載の発明においては、使用者が仰向けに寝そべった楽な姿勢で頭部牽引治療を行うことができる一層実用性に秀れた構成の頭部牽引装置となる。
【００１９】
また、請求項７記載の発明においては、折り畳んでコンパクトな状態にできる収納に便利な構成の頭部牽引装置となる。
【発明を実施するための最良の形態】
【００２０】
好適と考える本発明の実施形態（発明をどのように実施するか）を、図面に基づいて本発明の作用を示して簡単に説明する。
【００２１】
使用者Ｍが装置本体３の頭部配設部２に頭部Ｈを配設して頭部Ｈに牽引具１を装着し、装置本体３基端部の左右部の肩当て部４に左右の両肩部Ｓを当接する。
【００２２】
この状態で使用者Ｍが牽引操作部５を操作すると、使用者Ｍの頭部Ｈが前記装置本体３の先端側方向へ牽引されることになると共に、この際、使用者Ｍの両肩部Ｓが肩当て部４に当接しているために、使用者Ｍの身体の肩部Ｓより下の部分はこの肩当て部４によって装置本体３に対し先端側方向へ動こうとすることが阻止されることになる。
【００２３】
即ち、頭部Ｈの牽引によって肩部Ｓから上の首部Ｎが良好に引っ張られることになり、この首部Ｎの牽引により脊柱も牽引されて、例えば側湾して歪みを生じている脊柱も伸ばされて真っ直ぐ（背骨に歪みのない状態）に矯正されることになる。
【００２４】
また、片方の肩部Ｓだけを位置決めするのではなく、両方の肩部Ｓを肩当て部４に当てて両肩部Ｓを位置決めした状態で牽引するので、牽引力が首部Ｎに対して偏って作用することなく、左右の両肩部Ｓの中央に位置する首部Ｎを真っ直ぐに牽引して脊柱を真っ直ぐに伸ばすことが可能であると共に、肩当て部４によって身体の肩部Ｓから下の部分を動かさないようにして頭部Ｈ（首部Ｎ）を牽引するので、牽引操作部５を少し操作するだけでも効果的に首部Ｎを牽引して脊柱を伸ばすことができる。
【００２５】
また、この際、使用者Ｍ自身が牽引操作部５を操作するので、頭部Ｈの牽引力の強さを自身で好みに調整することができ、他人や機械にされるような不安感はなく、安心して使用することができる。
【００２６】
また、下半身まで固定するような大掛かりな装置構成でなく、両肩部Ｓを当接することで身体の肩部Ｓから下部分が動かないようにする装置構成である上、頭部Ｈを配設可能で且つ両肩部Ｓを当接可能な程度の大きさがあれば、本装置を構成可能であるためコンパクト化が容易にでき、しかも、頭部Ｈを配設可能な頭部配設部２を有する装置本体３に、肩当て部４と、牽引具１を連結した牽引操作部５を設けるだけで本発明は構成可能であるので、さほど多くの部分点数を要せずとも本装置は簡易に設計実現可能である。
【００２７】
また、例えば、前記牽引操作部５を前記装置本体３に回動自在に設け、この牽引操作部５を回動操作することで前記牽引具１に装着した使用者Ｍの頭部Ｈが装置本体３の先端側方向に牽引される構成とすれば、牽引操作部５を容易に操作でき、一層実用的となる。
【００２８】
また、例えば、前記牽引操作部５は、一端側に使用者Ｍが握持操作し得る握持部６を有し他端側に前記牽引具１を連結する連結部７を設けた構成として、この牽引操作部５の、前記握持部６と前記連結部７との間の途中位置を前記装置本体３に枢着することで牽引操作部５を装置本体３に回動自在に設けて、この握持部６を握持して前記枢着部８を支点に牽引操作部５を回動操作することで前記牽引具１に装着した使用者Ｍの頭部Ｈが前記装置本体３の先端側方向に牽引される構成とすれば、握持部６を力点，枢着部８を支点，連結部７（に連結した牽引具１）を作用点とするテコ作用を発揮する構成であり、このテコ作用により小さな操作力でも大きな牽引力を得ることができるので、極めて効果的に頭部Ｈ（首部Ｎ）を牽引して脊柱の矯正を行うことができる。
【００２９】
また、例えば、前記牽引操作部５の、前記枢着部８から前記握持部６までの距離を、この枢着部８から前記連結部７までの距離より長い距離寸法に設定構成すれば、テコ作用により小さな操作力を確実に大きな牽引力にできるので、一層効果的である。
【００３０】
また、例えば、前記装置本体３は、枠形体に構成して枠内の空間部を前記頭部配設部２とすると共に、基端部の左右に前記肩当て部４として機能する枠部を有する枠形状に構成すれば、頭部Ｈを配設可能で且つ基端部の左右に肩当て部４を備えた構成の装置本体３を簡易に設計実現可能となる。
【００３１】
また、例えば、使用者Ｍが仰向けの姿勢で頭部Ｈを配設可能な前記頭部配設部２を前記装置本体３に設け、この頭部配設部２に仰向けの姿勢で頭部Ｈを配設した使用者Ｍが、仰向けの姿勢のままで操作可能な前記牽引操作部５を前記装置本体３に設ければ、使用者Ｍが仰向けに寝そべった楽な姿勢で頭部Ｈ牽引治療を行うことができ、一層実用的となる。
【００３２】
また、例えば、前記装置本体３は、折り畳み機構９を有する構成とすれば、不使用時に折り畳んでコンパクトな状態にできるので、収納場所をとらず非常に便利となる。
【実施例】
【００３３】
本発明の具体的な実施例について図面に基づいて説明する。
【００３４】
本実施例の頭部牽引装置は、使用者Ｍが頭部Ｈを配設可能な頭部配設部２を有する装置本体３の基端部の左右部に、前記頭部配設部２に頭部Ｈを配設した使用者Ｍが両肩部Ｓを当接する肩当て部４を設けている。
【００３５】
具体的には、本実施例の装置本体３は、図１に示すように、横長な角柱形を呈する枠形体に構成して枠内の空間部を前記頭部配設部２とすると共に、基端部の左右に前記肩当て部４として機能する縦枠部を有する枠形状に構成している。
【００３６】
更に詳しくは、装置本体３は、平面視コ字形を呈し且つ遊離両端部が中間部より長さのある形状を呈する上フレーム３Ａと下フレーム３Ｂとを上下対称の関係となるようにして上下に間隔を置いて対設し、この上下対設状態の上フレーム３Ａと下フレーム３Ｂとの四隅部間に夫々縦フレーム３Ｃを架設した構成とすることで、横長な角柱形を呈する枠形体としている。
【００３７】
また、この装置本体３は、上フレーム３Ａと下フレーム３Ｂの遊離両端部側を基端部とし、この上フレーム３Ａと下フレーム３Ｂの基端部間（遊離両端部間）に架設した左右の前記縦フレーム３Ｃに夫々、例えばスポンジやゴムなどの緩衝材で成る平断面Ｃ字状の肩保護材４Ａを着脱自在に被嵌合装着してこの左右の肩保護材４Ａ付の縦フレーム３Ｃを前記肩当て部４としている。
【００３８】
また、この肩当て部４を構成する断面Ｃ状の肩保護材４Ａは、開放部分を押し開くように変形させることで簡単に縦フレーム３Ｃから取り外すことができる構成としている。
【００３９】
即ち、本実施例の装置本体３は、基端部並びに基端側の上下部が開放した枠形状に構成し、この装置本体３を前記下フレーム３Ｂを接地して接地面に載置した際に、この開放する装置本体３の基端部の側方（基端部の外側）若しくは上方より装置本体３内の空間部である前記頭部配設部２に使用者Ｍが頭部Ｈを配設し得るように構成し、このようにして頭部配設部２に頭部Ｈを配設すると、使用者Ｍの両肩部Ｓの近傍に前記肩当て部４が位置することになる構成としている。
【００４０】
また、肩当て部４を構成する左右の縦フレーム３Ｃの上部と上フレーム３Ａの遊離両端部との間に、この上フレーム３Ａの遊離両端部を上方から覆う帯状の保護部材10を架設状態に設けて、例えば、装置本体３の基端部の上方から装置本体３内の頭部配設部２に使用者Ｍが頭部Ｈを配設しようとする際に、上フレーム３Ａの遊離両端部に肩部Ｓなどの身体の一部をぶつけてしまってもこの保護部材10が衝撃（痛み）を緩和する構成としている。
【００４１】
また、この保護部材10は、図示省略の面ファスナー止着によって上フレーム３Ａと縦フレーム３Ｃに対して簡単に着脱し得るように設けている。
【００４２】
また、本実施例では、この装置本体３に、前記頭部配設部２に頭部Ｈを配設した使用者Ｍが操作可能な牽引操作部５を設けている。
【００４３】
具体的には、本実施例の牽引操作部５は、パイプ材を組んで装置本体３よりやや大型な平面視長方形枠状体に構成し、この牽引操作部５の長手方向の左右のパイプ材の途中部を、前記装置本体３先端部の左右の前記縦フレーム３Ｃの上端外側面に枢着して、この枢着部８を支点に装置本体３に対して牽引操作部５を起伏回動自在に設けている。
【００４４】
また、この牽引操作部５は、装置本体３の基端側に位置する一端側部（短方向のパイプ材も含む）を使用者Ｍが握持操作し得る握持部６とし、装置本体３の先端側に位置する他端側の短方向パイプ材を連結部７として、図３に示すように握持部６を起動回動すると連結部７が伏動し、握持部６を伏動回動すると連結部７が起動する構成としている。
【００４５】
また、本実施例では、この牽引操作部５の連結部７に、頭部Ｈに装着可能な牽引具１を連結し、この牽引具１を装置本体３の先端部から挿入して前記頭部配設部２に配設した構成としている。
【００４６】
即ち、この牽引具１に前記頭部配設部２に配設した使用者Ｍの頭部Ｈを装着し得るように構成し、この牽引具１に頭部Ｈを装着して、使用者Ｍが前記肩当て部４に両肩部Ｓを当接させた状態で前記牽引操作部５を手前に引いて伏動するように回動操作すると、連結部７が起動することで牽引具１が装置本体３の先端側へと引っ張られて使用者Ｍの頭部Ｈが前記装置本体３の先端側方向へ牽引されるように構成している（図２，図３の下図参照。）。
【００４７】
また、この際、本実施例の牽引構造は、握持部６を力点，枢着部８を支点，連結部７（に連結した牽引具１）を作用点とするテコ構造である上、牽引操作部５の、前記枢着部８から前記握持部６たる牽引操作部５の一端部までの距離を、この枢着部８から前記連結部７までの距離より長い距離寸法となるように牽引操作部５の枢着位置を設定構成しているため、握持部６を小さな力で操作しても大きな牽引力を得ることができ、極めて効果的に頭部Ｈ（首部Ｎ）を牽引して脊柱の矯正を行うことができる構成としている。
【００４８】
また、本実施例の牽引具１は、帯状体で構成して、図２に示すように輪状にすることで使用者Ｍの頭部Ｈの顎部から頬部を介して頭頂部までを覆うようにして装着し得るものとし、更にこの帯状体の両端部には、使用者Ｍの頭部Ｈの大きさに応じて牽引具１の輪の径を調整するための調整止着手段としての面ファスナー１Ａを付設した構成としている。
【００４９】
また、この牽引具１は、頭部Ｈに装着した際に前記面ファスナー１Ａの存する両端部が顎側に存するように構成し、これにより、例えば面ファスナー１Ａが頭部Ｈの頭髪側に存することで面ファスナー１Ａに頭髪が引っ掛かってしまうような不都合を生じない構成としている。
【００５０】
この牽引具１と、前記牽引操作部５の連結部７との連結構造は、牽引具１の中間の左右位置に連結帯１Ｂを付設してこの左右夫々の連結帯１Ｂに径小な第一連結環11を連結し、この双方の第一連結環11を第一連結環11より径大な第二連結環12に連結し、この第二連結環12と前記連結部７とを連結ベルト13によって連結した構造としている。
【００５１】
また、この連結ベルト13は、両端部に図示省略の調整止着手段（例えば面ファスナー）を設け、この調整止着手段により両端部を止着して環状とすることで第二連結環12と連結部７とを連結する構成とすると共に、この調整止着手段の止着位置を調整変更することで、連結部７と牽引具１との連結距離を調整変更可能な構成としている。即ち、連結ベルト13により使用者Ｍの体格などに応じて連結部７と牽引具１との連結距離調整を行うことができる構成としている。
【００５２】
また、連結部７には、連結ベルト13の左右に位置して連結ベルト13をこの連結部７の中間位置に位置決めするためのベルトストッパ14を設けている。このベルトストッパ14により、頭部Ｈ牽引の際に連結ベルト13が連結部７に対して左右にずれず、連結ベルト13が連結部７の端に位置して頭部Ｈを偏った方向に牽引してしまうようなことを確実に防止する構成としている。
【００５３】
また、本実施例では、前記装置本体３は、折り畳み機構９を有する構成としている。
【００５４】
具体的には、装置本体３の四隅の前記縦フレーム３Ｃは、いずれも前記上フレーム３Ａと下フレーム３Ｂに対して回動自在に枢着した構成とし、この各縦フレーム３Ｃを横に倒すように回動することで、図４に示すような偏平状態に折り畳みできる前記折り畳み機構９を構成している。尚、この折り畳みの際には、図示したように前記肩保護材４Ａと保護部材10とを取り外すようにすると、この肩保護材４Ａと保護部材10とが折り畳みの支障とならないために簡単に偏平に折り畳むことができる。また、この際、前記したように肩保護材４Ａと保護部材10とは簡単に取り外しできる。
【００５５】
従って、この折り畳み機構９により、例えば不使用時に折り畳んでコンパクトな状態にできるので、収納場所をとらず非常に便利となる。
【００５６】
また、本実施例では、装置本体３先端部の左右の縦フレーム３Ｃの上端の枢着軸を利用して、この枢着軸に前記牽引操作部５を枢着（枢着部８）した構成としている。
【００５７】
また、この装置本体３には、前記折り畳み機構９による折り畳みを阻止して装置本体３を図１のような角柱状に維持する折り畳み阻止機構15を有している。
【００５８】
具体的には、図５に示すように、装置本体３の先端部左右に前記縦フレーム３Ｃと共に帯板状のストッパ体15Ａの上端部を枢着し、このストッパ体15Ａの下端部に取付孔15Ｂを貫通形成する一方、この取付孔15Ｂに挿通する取付ピン15Ｃを前記下フレーム３Ｂの先端部よりやや基端側へ離れた途中部に突設して、この取付ピン15Ｃを取付孔15Ｂに挿通してストッパ体15Ａを斜設状態に維持すると、この斜設するストッパ体15Ａが筋違の機能を果たして装置本体３の折り畳み機構９による折り畳みを阻止する前記折り畳み阻止機構15を構成している。
【００５９】
即ち、使用時には、この折り畳み阻止機構15で装置本体３を折り畳み不能状態としておき、不使用時には、取付孔15Ｂを取付ピン15Ｃから挿脱させてストッパ体15Ａにより折り畳み阻止を解除することで、前記折り畳み機構９により装置本体３を偏平に折り畳むことができる構成としている。
【００６０】
次に、このように構成した本実施例の頭部牽引装置の使用方法を具体的に説明する。
【００６１】
前記下フレーム３Ｂを接地して装置本体３を適当な接地面に接地する。
【００６２】
この装置本体３内の頭部配設部２に使用者Ｍが仰向けの姿勢で頭部Ｈを配設して頭部Ｈに牽引具１を装着し、肩当て部４に左右の両肩部Ｓを当てる（図３の上図参照。）。
【００６３】
次いで、仰向けの姿勢のまま使用者Ｍが握持部６を握持して手前に（下方に）引くように牽引操作部５を回動操作すると、使用者Ｍの頭部Ｈが前記装置本体３の先端側方向へ牽引されることになり、この際、使用者Ｍの両肩部Ｓが肩当て部４に当接しているために、使用者Ｍの身体の肩部Ｓより下の部分はこの肩当て部４によって装置本体３に対し先端側方向へ動こうとすることが阻止されて、肩部Ｓから上の首部Ｎが良好に引っ張られることになる（図２，図３の下図参照。）。
【００６４】
すると、この首部Ｎの牽引により脊柱も牽引されて、例えば側湾して歪みを生じている脊柱も伸ばされて真っ直ぐ（背骨に歪みのない状態）に矯正されることになる。
【００６５】
また、この際、使用者Ｍ自身が頭部Ｈの牽引力の強さを好みに調整することができる。
【００６６】
また、図示していないが、例えば、頭部Ｈの顎部から頬部にかけてゴムシートなどを当てて、その上から牽引具１で頭部Ｈを覆うようにすると、牽引時の牽引具１による跡（皺の跡など）が顎部や頬部に残らなくなるので、人に合う前でも気軽に牽引治療を行うことができる。
【００６７】
尚、本発明は、本実施例に限られるものではなく、各構成要件の具体的構成は適宜設計し得るものである。
【図面の簡単な説明】
【００６８】
【図１】本実施例を示す斜視図である。
【図２】本実施例の使用状態を示す斜視図である。
【図３】本実施例の使用状態における牽引動作を示す説明側面図である。
【図４】本実施例の折り畳み状態を示す斜視図である。
【図５】本実施例の折り畳み阻止機構を示す部分拡大説明斜視図である。
【符号の説明】
【００６９】
１  牽引具
２  頭部配設部
３  装置本体
４  肩当て部
５  牽引操作部
６  握持部
７  連結部
８  枢着部
９  折り畳み機構
Ｍ  使用者
Ｈ  頭部
Ｓ  肩部
【図１】
2008253562.tif 000003
【図２】
2008253562.tif 000004
【図３】
2008253562.tif 000005
【図４】
2008253562.tif 000006
【図５】
2008253562.tif 000007